(57)【要約】【課題】大規模な表示装置であっても高精細に情報を表示し、製造コストやタクトタイムを削減すると共に、画面サイズを容易に変更する。【解決手段】表示モジュール２は、四辺形で囲まれる６面５ａ〜５ｆから構成される直方体状の基台５と、発光素子２３及びその発光素子２３が配列された基板７を有する発光手段と、を備える。また、基台５の正面から見て矩形状の第１の面５ａには、一面に複数の発光素子２３が配置された基板７が装着され、所定の平面度に形成されている。上面５ｂには、同一形状及び同一寸法の２つの凸部２１ａ，２１ｂが設けられており、２つの凸部２１ａ，２１ｂは他の表示モジュール２を連結するための手段になっている。また、底面５ｃには、同一形状及び同一寸法の２つの凹部２２ａ，２２ｂが設けられており、２つの凹部２２ａ，２２ｂはそれぞれが連結手段になっている。【選択図】図１
2010085940.tif 000002
【特許請求の範囲】
【請求項１】
情報を表示する表示モジュールにおいて、
所定の平面度で形成された第１の面を有する基台と、
前記第１の面に配置され、情報を表示する発光手段と、
前記基台の第２の面に設けられた凸部と、
他の表示モジュールの第２の面に設けられた凸部が収容される、前記基台の第３の面に設けられた凹部と、を備え、
前記他の表示モジュールの凸部が前記凹部内に収容されると、前記第１の面と前記他の表示モジュールの発光手段が配置されている第１の面とが面一になるように、前記凸部及び前記凹部が位置決めされている、ことを特徴とする表示モジュール。
【請求項２】
請求項１に記載の表示モジュールにおいて、
前記基台の前記第２の面と前記第３の面とは、互いに平行になるように形成されている、ことを特徴とする表示モジュール。
【請求項３】
請求項１または２に記載の表示モジュールにおいて、
前記基台の前記第２の面と前記第３の面とは、前記第１の面に対して直角になるように形成されている、ことを特徴とする表示モジュール。
【請求項４】
請求項１から３までのいずれか一項に記載の表示モジュールにおいて、
前記発光手段は、基板と、前記基板に配置される発光素子と、前記発光素子を封止し光を透過する直方体状の光透過部と、を有する複数の画素構成体を有し、
隣り合う前記画素構成体は、前記光透過部の長手方向が、互いに直交するように配列されている、ことを特徴とする表示モジュール。
【請求項５】
請求項４に記載の表示モジュールにおいて、
前記発光手段は、前記複数の画素構成体における光透過部の間の開口部が、光を遮断する遮光マスクに覆われている、ことを特徴とする表示モジュール。
【請求項６】
請求項４に記載の表示モジュールにおいて、
前記発光手段は、前記複数の画素構成体における光透過部の間の開口部に、光を遮断する樹脂が充填されている、ことを特徴とする表示モジュール。
【請求項７】
請求項１から６までのいずれか一項に記載の表示モジュールにおいて、
前記凸部及び前記凹部の少なくとも一方は、前記発光手段へ電力を供給するための電極を有する、ことを特徴とする表示モジュール。
【請求項８】
請求項１から７までのいずれか一項に記載の表示モジュールを複数備え、さらに、情報を前記複数の表示モジュールに表示させる制御手段を備える、ことを特徴とする表示装置。
【請求項９】
請求項８に記載の表示装置において、
前記複数の表示モジュールは、１次元方向、２次元方向及び３次元方向のうちのいずれかの方向に連結される、ことを特徴とする表示装置。
【請求項１０】
請求項８に記載の表示装置において、
前記複数の表示モジュールは、各表示モジュールが複数の凸部及び複数の凹部を備え、前記凸部が当該凸部に対応する凹部を所定数ずらして収容されることにより、互いに連結される、ことを特徴とする表示装置。
【発明の詳細な説明】
【技術分野】
【０００１】
本発明は、所定の情報を表示する表示モジュール及びその表示モジュールを備える表示装置に関し、特に、表示領域の寸法や形状を変更できる互いに連結可能な表示モジュール及びその表示モジュールを備える表示装置に関する。
【背景技術】
【０００２】
従来、例えば、ＬＥＤ、ＥＬ等の発行手段を１次元または２次元状に配置して低解像度の表示モジュールを構成し、この表示モジュールを複数用いて２次元状に配置することにより、大画面で高精細な表示装置を形成する技術が開発されてきた。このような表示装置は、構成要素である表示モジュールの数を増やすことにより、画面サイズや表示可能な画素数を増やすことができることから、例えば屋外に設けられる大型画面表示装置として用いられる。このような、ＬＥＤ、ＥＬ等の発光手段を用いた表示装置の例として、特許文献１乃至３に記載されたものが知られている。
【０００３】
図１０は、従来の表示装置に用いられる表示モジュールの分解図である。表示モジュール３０２は、複数の発光素子であるＬＥＤバーチップを複数配列して構成された低画素数の発光素子組立体３５４を一単位とし、複数の発光素子組立体３５４を２次元方向に隙間なく配列して形成されている。さらに、その下面には位置決め用突起３２１が設けられている。
【０００４】
また、基台３２３の凹部３２５の実装面３２５ａには、表示モジュール３０２の位置決め用突起３２１が挿入される位置決め用孔３２２が設けられている。従って、この位置決め用突起３２１が、位置決め用孔３２２内に挿入されることで表示モジュール３０２が基台３２３に固定される。このように、表示装置３０１は、基台３２３に所望の寸法の凹部３２５を形成し、比較的大きな領域の実装面３２５ａを所定の平面度が得られるように加工した後、凹部３２５の実装面３２５ａに表示モジュール３０２を固定することで製造される。
【０００５】
このように、従来の表示装置３０１によって高解像度を実現するには、表示モジュール３０２が配置される基台３２３の凹部３２５の実装面３２５ａにおいて、高い平面度を確保し、表示モジュール３０２を面一に配列する必要がある。また、発光素子の小型化に伴い、従来の表示装置３０１のように、ある一つの発光素子からの光が周辺の発光素子に反射することにより、解像度が低下したり、コントラストが低下したりする等の表示特性が劣化してしまう可能性がある。そこで、このような表示特性が劣化しないような構成とすることが必要となる。
【０００６】
【特許文献１】特開２００１−２４２３５（段落[００１５]、図２等）
【特許文献２】特開２０００−３０５４８６（段落[０００８]、図６等）
【特許文献３】特開２０００−１１２４２９
【発明の開示】
【発明が解決しようとする課題】
【０００７】
しかしながら、従来の表示装置３０１では、基台３２３の凹部３２５の実装面３２５ａの寸法を大きくしつつ、実装面３２５ａの平面度を確保しようとすると、製造コストが嵩むことや、タクトタイムが長くなるという課題があった。また、従来の表示装置３０１では、基台３２３の寸法が予め決められているから、表示装置３０１自体の画面サイズを変更することができないという課題もあった。
【０００８】
そこで、本発明は上記課題を解決するためになされたものであり、その目的は、大規模な表示装置であっても高精細に情報を表示し、製造コスト及びタクトタイムを削減すると共に、画面サイズを容易に変更可能な表示モジュール及び表示装置を提供することにある。
【課題を解決するための手段】
【０００９】
前記目的を達成するために、請求項１の発明は、情報を表示するための表示モジュールにおいて、所定の平面度で形成された第１の面を有する基台と、前記第１の面に配置され、情報を表示する発光手段と、前記基台の第２の面に設けられた凸部と、他の表示モジュールの第２の面に設けられた凸部が収容される、前記基台の第３の面に設けられた凹部と、を備え、前記他の表示モジュールの凸部が前記凹部内に収容されると、前記第１の面と前記他の表示モジュールの発光手段が配置されている第１の面とが面一になるように、前記凸部及び前記凹部が位置決めされている、ことを特徴とする。
【００１０】
また、請求項２の発明は、請求項１に記載の表示モジュールにおいて、前記基台の前記第２の面と前記第３の面とは、互いに平行になるように形成されている、ことを特徴とする。
【００１１】
また、請求項３の発明は、請求項１または２に記載の表示モジュールにおいて、前記基台の前記第２の面と前記第３の面とは、前記第１の面に対して直角になるように形成されている、ことを特徴とする。
【００１２】
また、請求項４の発明は、請求項１から３までのいずれか一項に記載の表示モジュールにおいて、前記発光手段が、基板と、前記基板に配置される発光素子と、前記発光素子を封止し光を透過する直方体状の光透過部と、を有する複数の画素構成体を有し、隣り合う前記画素構成体は、前記光透過部の長手方向が、互いに直交するように配列されている、ことを特徴とする。
【００１３】
また、請求項５の発明は、請求項４に記載の表示モジュールにおいて、前記発光手段が、前記複数の画素構成体における前記光透過部の間の開口部が、光を遮断する遮光マスクに覆われている、ことを特徴とする。
【００１４】
また、請求項６の発明は、請求項４に記載の表示モジュールにおいて、前記発光手段が、前記複数の画素構成体における光透過部の間の開口部に、光を遮断する樹脂が充填されている、ことを特徴とする。
【００１５】
また、請求項７の発明は、請求項１から６までのいずれか一項に記載の表示モジュールにおいて、前記凸部及び前記凹部の少なくとも一方が、前記発光手段へ電力を供給するための電極を有する、ことを特徴とする。
【００１６】
また、請求項８の発明は、請求項１から７までのいずれか一項に記載の表示モジュールを複数備え、さらに、情報を前記複数の表示モジュールに表示させる制御手段を備える、ことを特徴とする表示装置である。
【００１７】
また、請求項９の発明は、請求項８に記載の表示装置において、前記複数の表示モジュールが、１次元方向、２次元方向及び３次元方向のうちのいずれかの方向に連結される、ことを特徴とする。
【００１８】
また、請求項１０の発明は、請求項８に記載の表示装置において、前記複数の表示モジュールが、各表示モジュールが複数の凸部及び複数の凹部を備え、前記凸部が当該凸部に対応する凹部を所定数ずらして収容されることにより、互いに連結される、ことを特徴とする。
【発明の効果】
【００１９】
以上のように、本発明によれば、所定の平面度である第１の面を有する表示モジュールを所定の寸法になるように連結するという簡易な構成としたから、各表示モジュール間で発光手段が設けられた第１の面の平面度を確保することができる。結果として、大規模な表示装置であっても、製造コストやタクトタイムを抑えつつ高精細に情報を表示できる表示モジュール及び表示装置を実現できる。また、表示モジュールを連結することにより表示装置を構成するようにしたから、表示装置の画面サイズを容易に変更することができる。
【発明を実施するための最良の形態】
【００２０】
以下、本発明の表示装置に係る実施形態について図面を用いて詳細に説明する。
〔実施例１〕
まず、実施例１の表示装置について説明する。図１は、表示装置１の一単位を示す斜視図、図２は、図１の表示モジュール２を複数連結した表示装置１０１を示す斜視図、図３は、図２の表示装置１０１における信号処理系を示すブロック図、図４は、図１の表示モジュール２を別の態様で複数連結した表示装置２０１を示す斜視図である。
【００２１】
この表示装置１は、表示装置の一単位を示しており、所定の情報を表示する発光手段を有する表示モジュール２と、所定の情報を発光手段に表示させる制御ボード（制御手段）４と、を備える。所定の情報を発光手段に表示させるための指令は、制御ボード４から制御ケーブル３を介して、表示モジュール２に送信される。
【００２２】
表示モジュール２は、四辺形で囲まれる６面５ａ〜５ｆから構成される直方体状の基台５と、発光素子２３及びその発光素子２３が配列された基板７を有する発光手段と、を備える。基台５の正面から見て矩形状の第１の面５ａには、一面に複数の発光素子２３が配置された基板７が装着されている。第１の面５ａは、所定の平面度に形成されている。
【００２３】
さらに、第１の面５ａの一辺側にある垂直な上面（第２の面）５ｂには、同一形状及び同一寸法の２つの凸部２１ａ，２１ｂが設けられている。２つの凸部２１ａ，２１ｂは、それぞれが連結手段であり、基台５の平面視では円形である。また、上面５ｂに平行で、かつ第１の面５ａの他辺側にある垂直な底面（第３の面）５ｃには、同一形状及び同一寸法の２つの凹部２２ａ，２２ｂが設けられている。２つの凹部２２ａ，２２ｂは、それぞれが連結手段であり、基台５の底面視では円形である。
【００２４】
凸部２１ａ，２１ｂの外径は、凹部２２ａ、２２ｂの内径とほぼ等しいか、若干大きく寸法付けされている。従って、他の表示モジュールの凸部２１ａ，２１ｂは、それぞれ凹部２２ａ，２２ｂ内に収容されるか、締り嵌めで嵌合する構成になっている。さらに、凸部２１の上面５ｂに対する位置は、一の基台５の凸部２１が他の基台５の凹部２２に嵌合した状態では、一の基台５及び他の基台５の第１の面５ａが面一になるように構成されている。従って、凸部及び凹部は、基台同士を連結させるだけでなく、両者の第１の面が面一となるように位置決めする機能をも有する。
【００２５】
尚、凸部２１の高さ寸法、及び凹部２２の深さ寸法はほぼ同じであり、凸部２１が凹部２２を嵌合させると、一方の基台５の底面５ｃと、それに連結される別の基台の上面５ｂとが当接するように寸法付けされている。
【００２６】
さらに、基台５の両側面（第４の面及び第５の面）５ｄ，５ｅは、第１の面５ａ、上面５ｂ及び底面５ｃのそれぞれに対して垂直に連結し、第４の面５ｄ及び第５の面５ｅは、互いに平行である。また、一方の凸部２１ａの中心から側面５ｄまで最短距離と、他方の凸部２１ｂの中心から側面５ｅまでの最短距離とは、等しく寸法付けされ、同様に、一方の凹部２２ａの側面５ｄからの距離と、他方の凹部２２ｂの側面５ｅからの距離とは、等しく寸法付けされている。従って、２つの基台５を上下に連結した場合には、両基台の側面５ｄ，５ｅ同士が面一となり、また、裏面５ｆ同士も面一に延在する。すなわち、連結される方向に対して直交する方向に関しても、各基台は整合している。
【００２７】
凹部２２及び凸部２１を有する基台５は、寸法精度を高めるためにセラミック材料等から一体成形するようにしてもよいし、凸部２１及び凹部２２を別工程で形成するようにしてもよい。尚、図１（後述する図２乃至図５も同様）中、発光素子２３は模式的に記載しているものであり、図示した発光素子の大きさ、配列、個数等に、本発明が限定されることはない。
【００２８】
表示モジュール２には、制御ボード４がフラットケーブル等の制御ケーブル３を介して接続されている。制御ボード４は、図示しない画像ソース（ビデオディスク、光ディスク等）から文字、図形、画像等の情報を入力し、各発光素子２３を駆動させるためのデータに変換し、変換したデータを、制御ケーブル３を介して表示モジュール２に出力する。尚、図示していないが、第１の面５ａに当接する側の面には、各発光素子２３に対応した電極バンプが形成されており、電極バンプは第１の面５ａに形成されている電極ランドに例えば半田付けされている。電極ランドには、前述した制御ケーブル３が接続され、制御ボード４からの電力及び駆動信号が、制御ケーブル３を介して発光素子３２に供給される。図１では、制御ボード４と表示モジュール２とは別体として構成しているが、制御ボード４を表示モジュール２の基台５内に配置する構成としてもよい。
【００２９】
（１次元方向へ表示モジュールを連結して構成される表示装置）
次に、１次元方向へ表示モジュール２を連結して構成される表示装置について説明する。図２は、図１の表示モジュール２を複数連結して構成される表示装置の斜視図である。この表示装置１０１は、表示モジュール２を直線状に２つ連結したものを横に２列配置して構成されている。第３の表示モジュール２−３の上面２−３−５ｂに設けられた凸部２−３−２１ａ，２−３−２１ｂが、第１の表示モジュール２−１の底面２−１−５ｃに設けられた凹部２−１−２２ａ，２−１−２２ｂに嵌合している。従って、第１の面２−１−５ａ，２−３−５ａは、同一の平面上に延在する面一となり、側面２−１−５ｄ，２−３−５ｄも面一となり、側面２−１−５ｅ，２−３−５ｅも面一となる。
【００３０】
同様に、第２の表示モジュール２−２及び第４の表示モジュール２−４も同様に、前者の凹部２−２−２２ａ，２−２−２２ｂは、後者の凸部２−４−２１ａ，２−４−２１ｂにそれぞれ嵌合している。その結果、第２の表示モジュール２−２の第１の面２−２−５ａ及び第４の表示モジュール２−４の第１の面２−４−５ａが面一になる。
【００３１】
従って、第１の表示モジュール２−１の右側の側面２−１−５ｅ及び第３の表示モジュール２−３の右側の側面２−３−５ｅと、第２の表示モジュール２−２の左側の側面２−２―５ｄ及び第４の表示モジュール２−４の左側の側面２−４−５ｄとを図２に示すように面接合すると、第１の表示モジュール２−１の第１の面２−１−５ａ、第２の表示モジュール２−２の第１の面２−２―５ａ、第３の表示モジュール２−３の第１の面２−３−５ａ、及び第４の表示モジュール２−４の第１の面２−４−５ａが面一となる。すなわち、表示装置１０１の発光素子２３が配列される第１の面２−１−５ａ，２−２−５ａ，２−３−５ａ，２−４−５ａが面一となる。
【００３２】
尚、図２では、横方向に隣接する表示モジュール２−１，２−２及び表示モジュール２−３，２−４については、表示モジュール２−１の第１の面２−１−５ａと表示モジュール２−２の第１の面２−２−５ａを面一になるように配置するか、または、表示モジュール２−３の第１の面２−３−５ａと、表示モジュール２−４の第１の面２−４−５ａとを面一にすることにより、表示装置１０１の表示面２−１−５ａ，２−２−５ａ，２−３−５ａ，２−４−５ａを平滑にすることができる。
【００３３】
次に、図２に示した表示装置１０１の信号処理について説明する。図３は、表示装置１０１の処理信号系を示すブロック図である。図示しない画像ソースから高解像度カラー画像が信号処理装置４１に入力される。信号処理装置４１は、入力したカラー画像を各表示モジュール２−１〜２−４の発光素子２３に表示させるためのモジュール画像信号に分割し、制御ボード４−１〜４−４に出力する。そして、モジュール画像信号は、所定の走査タイミングで表示モジュール２−１〜に出力され、発光素子２３にその画像が表示される。尚、信号処理装置４１及び制御ボード４にそれぞれ送信手段及び受信手段を設け、信号処理装置４１と制御ボード４との間を無線伝送により信号を送受信するようにしてもよい。表示装置１０１における走査タイミング及び伝送手法については既知であるから、ここでは詳細な説明を省略する。
【００３４】
（２次元方向へ表示モジュールを連結して構成される表示装置）
次に、２次元方向へ表示モジュール２を連結して構成される表示装置について説明する。図４は、図１の表示モジュール２を２次元方向に連結して構成される表示装置の斜視図である。図４の表示装置２０１において、下段に配置されている表示モジュール２−３−１及びその隣りの表示モジュール２−３−２は、中段に配置されている表示モジュール２−２−１に連結されている。すなわち、下段の表示モジュール２−３−１の一方（右側）の凸部２−３−１−２１ｂが、中段の表示モジュール２−２−１の一方（左側）の凹部２−２−１−２２ａに嵌合し、隣の表示モジュール２−３−２の一方（左側）の凸部２−３−２−２１ａが、中段の表示モジュール２−２−１の他方（右側）の凹部２−２−１―２２ｂに嵌合する。
【００３５】
表示装置２０１は、一つの表示モジュール２が有する２つの凹部２２に、互いに隣接する２つの表示モジュールの凸部２１を一つずつ嵌合させるように構成されている。すなわち、下段に配置される表示モジュール（例えば、表示モジュール２−３−１，２−３−２）に対して、中段に配置される表示モジュール（例えば、表示モジュール２−２−１）をその長手方向の半分の長さだけずらした状態で連結させ、さらに、上段の表示モジュール（例えば、表示モジュール２−１−１）を中段の表示モジュール（例えば、表示モジュール２−２−１，２−２−２）に対して、表示モジュールの長手方向の半分の長さだけずらした状態で連結する。
【００３６】
このように、２次元方向に複数の表示モジュール２を連結させることにより、表示モジュール２−２−１の第１の面２−２−１−５ａと表示モジュール２−３−１の第１の面２−３−１―５ａとが面一となる。さらに、表示モジュール２−３−１，２−３−２の凸部２−３−１−２１ｂ，２−３−２−２１ａのそれぞれが、単一の表示モジュール２−２−１の凹部２−２−１−２２ａ，２−２−１−２２ｂにそれぞれに嵌合することにより、表示モジュール２−３−１の右側面２−３−１−５ｅと表示モジュール２−３−２の左側面２−３−２−５ｄとが表示モジュール２−２−１の長手方向の中点において当接する。
【００３７】
結果として、表示モジュール２−２−１，２−３−１，２−３−２とは、発光素子２３の配列される面において面一となる。同様に、その他の表示モジュール２−１−１，２−１−２，２−２−２，２−２−３，２−３−３，２−３−４の第１の面が面一となる。尚、表示装置２０１における信号処理については、図３に示したように、各表示モジュールに対して制御ボード４２が連結され、さらに信号処理装置４１に連結され、各表示モジュール２で表示される分割された信号が各表示モジュール２に伝送され、表示装置２０１の表示部により高解像度のカラー画像が生成される。
【００３８】
このように、２次元方向に連結することで、複数の表示モジュール２の第１の面を面一に形成することができるので、所望の寸法及び形状の表示装置とすることができる。さらに、２次元方向に連結することにより、隣接する側面５ｄ，５ｅにより形成される下段、中段及び上段の境界線ｂ３，ｂ２，ｂ１を非連続とすることでその存在を目立たなくすることができる。図４の例では、複数の表示モジュール２を連結する方向に対して直交する方向（図中横方向）にずらして連結する構成としたが、連結方向（図中縦方向）にずらして表示モジュールを連結する構成としてもよい。
【００３９】
（実施例１に係る表示モジュールの変形例１）
以下に、表示モジュールの連結手段の変形例について説明する。図５（ａ）は、表示モジュールの変形例１を示す斜視図である。
【００４０】
図１に示す表示モジュール２と同様に、表示モジュール３０２は、矩形状面で囲まれた６面体である略直方体状の基台３０５を備える。基台３０５の第１の面３０５ａには、発光素子２３が複数配列され、上面３０５ｂに凸部３２１ａ，３２１ｂを、底面３０５ｃに凹部３２２ａ，３２２ｂをそれぞれ備える。尚、表示モジュール３０２の制御ボード及び制御ケーブルについては図１の構成と同じであるので、ここでは説明を省略する。
【００４１】
図１に示す表示モジュール２と比較すると、表示モジュール３０２は、基台３０５の第４の面である左側面３０５ｄに連結手段である凸部３４１を備え、第５の面である右側面３０５ｅに連結手段である凹部３４２を備えている点で相違する。
【００４２】
左側の凸部３４１は、他の凸部３２１ａ，３２１ｂと向きが異なるのみで、同じ寸法及び形状を有する円柱形状である。同様に、右側の凹部３４２は、他の凹部３２２ａ，３２２ｂと同じ寸法及び形状を有する円形状の溝である。また、一の表示モジュール３０２の凹部３４２に他の表示モジュール３０２の凸部３４１を嵌合させると、両表示モジュール３０２の第１の面が、面一になるような位置に凸部及び凹部が形成されている。このような構成の表示モジュール３０２を使用することにより、両側面３０５ｄ、３０５ｅに対しても、他の表示モジュールを連結することができ、表示装置の形状や寸法に関する設計の自由度が増す。
【００４３】
尚、この変形例１の凸部３４１は円柱状であり、凹部３４２は円形の溝であるため、側面３０５ｄ，３０５ｅ間でのみ連結された２つの表示モジュール３０２は、互いに回転し、両表示モジュール３０２の第１の面３０５ａ間の面一が崩れることもある。従って、図４のように連結するか、または、凸部の外周面の半径方向に突出する突起若しくは半径方向に内方へ突出する溝部を設けると共に、凹部の内周面に前述の突起を収容する溝若しくは前述の溝部に係合する突起を設ける構成としてもよい。
【００４４】
（実施例１に係る表示モジュールの変形例２）
図５（ｂ）は、表示モジュールの変形例２を示す斜視図である。図１〜図４及び図５（ａ）に示した表示モジュールと比較すると、変形例２は連結手段の構成が異なる。
【００４５】
図５（ｂ）に示す表示モジュール４０２の基台４０５は、矩形状面で囲まれた６面体から形成される略直方体状であり、図５（ａ）の表示モジュール３０２と同様に、第１の面４０５ａには、発光素子２３が複数配列され、上面４０５ｂ及び左側面４０５ｄには、連結手段である凸部４２１，４４１が設けられ、底面４０５ｃ及び右側面４０５ｅには、連結手段である凹部４２２，４４２が設けられている。
【００４６】
凸部４２１，４４１は向きが異なるのみで、同一寸法及び同一形状である。上面４０５ｂに設けられた凸部４２１について説明する。凸部４２１は、正面から見るとＴ字形状であり、上面４０５ｂ上において、両側面４０５ｄ、４０５ｅから等距離となるように、第１の面４０５ａから裏面（第６の面）４０５ｆに渡り延びている幅狭部４２１ａと、幅狭部４２１ａより幅の広い幅広部４２１ｂと、を備える。
【００４７】
凹部４２２，４４２は、向きが異なるのみで、同一寸法及び同一形状である。底面４０５ｃに設けられた凹部４２２について説明する。凹部４２２は、前述の凸部４２１と相補的な形状であり、表示モジュール４０２の正面から見てＴ字形状の溝である。凹部４２２は、底面４０５ｃに、両側面４０５ｄ，４０５ｅから等距離となるように、第１の面４０５ａから裏面４０５ｆに延びている。
【００４８】
また、一の表示モジュール４０２の下側の凹部４２２内に、別の表示モジュール４０２の上側の凸部４２１を挿入し、凸部４２１の端面４２１ｃが、基板７の発光素子２３が配列されている裏面に当接した状態において、２つの表示モジュールの第１の面４０５ａが面一になるように凸部４２１及び凹部４２２が位置付けされている。このとき、両側面４０５ｄ，４０５ｅについても連結された基台間で面一となる。
【００４９】
同様に、右側の凹部４４２に、別の表示モジュールの左側の凸部４４１を挿入すると、連結された２つの表示モジュールの第１の面４０５ａが面一になるように凸部４４１及び凹部４４２が位置付けられている。このとき、上面４０５ｂ及び底面４０５ｃについても連結された基台間で面一となる。
【００５０】
変形例２のように連結手段を構成することにより、表示モジュール間の連結をより確実に行うことが可能となる。尚、上記変形例２では、連結手段を上面、底面、左側面、右側面にそれぞれ一つずつ設ける構成としたが、数及び位置が適宜変更できることは言うまでもない。さらに、凸部４２１，４４１及び凹部４２２，４４２が、第１の面４０５ａから裏面４０５ｆに向かい、その寸法が漸増するテーパ形状とすることで、表示モジュール間の連結をより確実にすることもできる。
【００５１】
〔実施例２〕
次に、実施例２について説明する。実施例２は、カラー発光素子を画素として配列した表示モジュール５０２を用いている。図６（ａ）は、実施例２に係る表示モジュール５０２の正面図、図６（ｂ）は、図６（ａ）の線ＶＩ−ＶＩに沿った断面図、図７は、図６（ａ）の表示モジュール５０２の画素構成体５７１の構成を模式的に示す斜視図、図８は、図６（ａ）の表示モジュールを複数連結した状態を示す斜視図、図９は、図６（ａ）の表示モジュール５０２の変形例の分解図である。
【００５２】
実施例２に係る表示モジュール５０２は、複数の画素構成体５７１を備えている。表示モジュール５０２の基台５０５は、正面から見て正方形をなす６面体である。図１の表示モジュール２と同様に、基台５０５の、発光素子５７５が配列される基板５７３が装着される第１の面５０５ａと、上面５０５ｂ、底面５０５ｃ、左側面５０５ｄ、右側面５０５ｅとの接続部は、ほぼ直角になっている。尚、第１の面は、所定の平面度に加工されている。また、図１の表示モジュール２と同様に、上面５０５ｂには、連結手段である凸部５２１ａ，５２１ｂが設けられ、底面５０５ｃには、連結手段である図示しない凹部が設けられている。さらに、図１の表示モジュール２と同様に、図８に示すように表示モジュール５０２が連結された状態では、両表示モジュール５０２の第１の面５０５ａが互いに面一になるように、両表示モジュール５０２の接合面において、凸部５２１ａ，５２１ｂ及び凹部が嵌合されている。
【００５３】
次に、表示モジュール５０２の各画素を構成する画素構成体５７１について説明する。本実施例２では、図６（ａ）に示すように、各画素構成体５７１は、同寸法及び同形状であり、縦に４個、横に４個の計１６個で配列されている。
【００５４】
図７を参照して、図６（ａ）の表示モジュール５０２における、例えば左上隅に配置される画素構成体５７１−１−１（５７１）について説明する。画素構成体５７１は、基板５７３と、基板５７３に配置される３つの発光素子５７５（赤色５７５Ｒ、緑色５７５Ｇ、青色５７５Ｂ）と、発光素子５７５からの光を透過する樹脂等から成形され、３つの発光素子５７５を封止するモールド部５７７と、を備える。モールド部（光透過部）５７７は直方体形状を呈している。
【００５５】
図６（ａ）に示すように、モールド部５７７の長手方向が図の上下方向に延在している画素構成体５７１に着目すると、その隣には、モールド部５７７の長手方向が図の左右方向に延在している画素構成体５７１が配置される。例えば、モールド部５７７の長手方向が図の上下方向に延びる画素構成体５７１−１−１の右隣りには、モールド部５７７の長手方向が左右方向に延びる画素構成体５７１−１−２が配置されている。また、画素構成体５７１−１−１の図中の下方には、同じく、モールド部５７７の長手方向が図の上下方向に延びる画素構成体５７１−２−１が配置されている。このように、図中の上下方向または左右方向に隣り合う２つの画素構成体５７１間において、モールド部５７７の長手方向は、９０度ずつずれるように配置される。
【００５６】
本発明の発明者等は、鋭意研究を重ねた結果、基板５７３に実装されている発光素子５７５が、基板５７３の面方向に関する位置や、基板５７３の面に対する垂直方向に関する位置、さらに、各光学素子５７５から引き出され基板５７３のランド電極に連結されるワイヤ５７９の位置等に関して、製造上の制約から、製品毎に差異が生じ、各画素構成体５７１の光強度が厳密には均一でないという知見を得た。
【００５７】
そこで、前述したように、各画素構成体５７１の光強度の個体差を相殺するため、上下方向若しくは左右方向に隣り合う画素構成体５７１同士では９０度毎にずらし配置している。
【００５８】
尚、前記構成では、縦方向（図６（ａ）の上下方向）に４個の画素構成体５７１、横方向（図面の左右方向）に４個の画素構成体５７１を配列し、モールド部５７７の長手方向が上下（左右）方向に延在するものと、モールド部５７７の長手方向が左右（上下）方向に延在するものとが、縦方向及び横方向において隣接しないように配列する構成としたが、本発明はこの構成に限定されない。すなわち、画素構成体５７１の数が縦方向及び横方向に偶数個を配置し、モールド部５７７の長手方向が上下（左右）方向に延在するものと、モールド部５７７の長手方向が左右（上下）方向に延在するものとが、縦方向及び横方向において隣接しないように並べる構成であればよい。このように構成することで、表示モジュールを複数連結しても、画素構成体間の発光素子の光強度の均一性を実現できる。
【００５９】
また、本発明の発明者等は、画素構成体５７１の高密度化を進めると、一の画素組立体から放射される光が、他の発光素子に反射することにより、また他の画素構成体から放射される光と干渉することにより、同一の表示モジュール内の画素構成体５７１間でコントラストの低下が生じる現象や、さらに、複数の表示モジュールを連結して構成される表示装置において複数の表示モジュール間でコントラストの低下やにじみが生じる現象が顕著になるという知見を得た。これは、表示モジュールや表示装置において、所定の解像度を発揮しないという問題となる。
【００６０】
そこで、図９に示すように、光透過性のモールド部５７７の側面５７７ａからの光漏れを防止するために、基板５７３上でモールド部５７７の側面５７７ａの周囲を取り囲むように、遮光フィルム５８１を接着剤等により固定すると効果的である。また、遮光フィルム５８１の代わりに、遮光性のある樹脂（例えば黒色のエポキシ樹脂等）をモールド部５７７の周囲に塗布して充填する構成としてもよい。
【００６１】
さらに、一つの表示モジュール５０２毎に、遮光フィルム５８１を固定するのではなく、表示モジュールを複数連結して、表示装置の所定の寸法の表示部を形成した後に、例えば図８に示したように、連結した２つの表示モジュールに対して一枚の遮光フィルム５８１を装着する構成としてもよい。この場合には、さらに、隣接する表示モジュール間の境界の視認性が無くなるという効果も得られる。尚、遮光フィルム５８１としては、例えば、温度及び湿度等に起因する変形等が少ないポリイミド系の材料が用いられる。
【００６２】
さらに、遮光フィルム５８１の上に、光を拡散させる拡散フィルム５８３（図９参照）を接着剤等により装着する構成としてもよい。前述したように、画素構成体５７１を構成する発光素子５７５の基板５７３に対する位置等の個体差に基づく光強度のむらを相殺することができる。尚、拡散フィルム５８３としては、例えばポリカーボネートフィルムが用いられる。
【００６３】
尚、前記実施例２において、制御ボード及び信号処理等については、実施例１と同様であるので説明は省略する。さらに、前記実施例２の表示モジュールの凸部及び凹部として、実施例１の表示モジュールの変形例１及び２を適用できることは言うまでもない。さらに、実施例１，２において、円柱状の凸部及び円柱状の凸部に対して、相補的な形状の円形溝である凹部を採択したが、多角柱状、楕円柱状、半円柱状の凸部やそれに相補的な形状の溝である凹部とするようにしてもよい。また、凸部及び凹部の数もそれぞれ２つに限定されず、適宜変更できることは言うまでもない。
【００６４】
また、実施例１，２では、複数の基台を１次元または２次元方向に連結し、その第１の面は、連結した基台の内、最下段の基台の底面を水平面に載置した場合に、ほぼ鉛直面上で面一となる構成であったが、本発明の第１の面は鉛直面上に沿った平面に限定されない。例えば、鉛直面に対して所定角度で傾斜する傾斜面上で第１の面が面一になる構成や、３次元方向に表示モジュールを連結させ、所定の曲率半径を有する湾曲面上において面一になるように構成してもよい。 
【００６５】
また、実施例１，２において、制御ケーブルの一端が制御ボードに連結され、他端部が各基台の裏面（５ｆ）より各表示モジュール内部に引き込まれ、図示しない内部配線を介して各発光手段と電気的に接続するように構成したが、基台に形成される凸部及び凹部に電極を配置して、当該電極を介して各発光手段までの電気的接続を行う構成としてもよい。
【００６６】
実施例１，２における発光手段として、ＬＥＤ、エレクトロルミネッセンス（ＥＬ）、液晶等を使用できる。さらに、実施例１の第１の面を矩形状とし、実施例２の第１の面を正方形状としたが、前者を正方形状とし後者を矩形状としてもよいし、その他の形状、例えば六角形、八角形等の多角形状、円形状、半円形状、星形状等としてもよい。本発明における第１の面は矩形状等に限定されるものではない。側面、底面等の他の面についても同様である。また、実施例１における表示モジュール２の基台５及び実施例２における表示モジュール５０２の基台５０５は、６面を有する直方体状で構成されているが、本発明はこれに限定されるものではなく、それ以外の多面体状であってもよい。また、必ずしも６面を有している必要はなく、例えば、図１に示した実施例１の裏面５ｆのような、第１の面に対向して制御ケーブル３が挿入される面は無くてもよい。また、実施例１の側面５ｄ，５ｅのような、発光、ケーブルの挿入、連結等の機能を何ら備えていない面も無くてもよい。
【００６７】
また、本発明は、その本質的特性から逸脱することなく数多くの形式のものとして具体化することができる。従って、前記実施例１，２は説明上のものであり、本発明を制限するものではない。
【図面の簡単な説明】
【００６８】
【図１】実施例１に係る表示モジュールを備えた表示装置１の一単位を示す斜視図である。
【図２】図１の表示モジュールを複数連結した表示装置を示す斜視図である。
【図３】図２の表示装置における処理信号系を示すブロック図である。
【図４】図１の表示モジュールを別の態様で複数連結した表示装置を示す斜視図である。
【図５】（ａ）は、表示モジュールの変形例１を示す斜視図であり、（ｂ）は、表示モジュールの変形例２を示す斜視図である。
【図６】（ａ）は、実施例２に係る表示モジュールの正面図であり、（ｂ）は図６（ａ）の線ＶＩ−ＶＩに沿った断面図である。
【図７】図６（ａ）の表示モジュールの画素構成体の構成を模式的に示す斜視図である。
【図８】図６（ａ）の表示モジュールを複数連結した状態を示す斜視図である。
【図９】図６（ａ）の表示モジュールの変形例の分解図である。
【図１０】従来の表示装置に用いられる表示モジュールの分解図である。
【符号の説明】
【００６９】
１，１０１，２０１  表示装置
２，３０２，４０２，５０２  表示モジュール
３  制御ケーブル
４  制御ボード
２１ａ，２１ｂ，５２１ａ，５２１ｂ  凸部
２２  凹部
２３，５７５  発光素子
５７１  画素構成体
【図１】
2010085940.tif 000003
【図２】
2010085940.tif 000004
【図３】
2010085940.tif 000005
【図４】
2010085940.tif 000006
【図５】
2010085940.tif 000007
【図６】
2010085940.tif 000008
【図７】
2010085940.tif 000009
【図８】
2010085940.tif 000010
【図９】
2010085940.tif 000011
【図１０】
2010085940.tif 000012